(57)【要約】  ＵＥの位置情報を更新するための方法は、ノードＢがＵＥの位置情報をＭＭＥへ転送するステップと、ＭＭＥがネットワークに格納されたＵＥの位置情報を前記ＵＥの前記位置情報として更新するステップと、を含む。本発明は、ドメイン更新プロセスがなくても互いに異なる地理的ドメインの間を移動する接続モードにあるＵＥをサポートする方法を提供する。また、新しく改善されたネットワークで転送される回路ドメインでのシグナリングをサポートするようになる。
2011514068.tif 000002
【特許請求の範囲】
【請求項１】
ユーザ装備（ＵＥ）の位置情報を更新するための方法であって、
ノードＢにより前記ＵＥの前記位置情報をモバイル管理エンティティ（ＭＭＥ）へ転送するステップと、
前記ＭＭＥによりネットワークに格納された前記ＵＥの前記位置情報を前記ＵＥの前記位置情報に更新するステップと、
を含むことを特徴とする方法。
【請求項２】
前記ＵＥの前記位置情報は、
前記ＵＥが位置している該当セルでのＴＡＩ（Tracking Area Identifier）であることを特徴とする請求項１に記載の方法。
【請求項３】
前記位置情報の転送ステップは、
接続モードにある前記ＵＥによりアップリンク測定報告メッセージ（uplink Measuring Report message）をソースノードＢへ転送するステップと、
前記ソースノードＢにより前記ＵＥが新規セル内にスイッチングされるか否かを判断し、前記ソースノードＢによりスイッチング要請メッセージ（Switching Request message）を目的地ノードＢへ転送するステップと、
前記目的地ノードＢによりスイッチング応答メッセージ（Switching Response message）を前記ソースノードＢへ転送するステップと、
前記ソースノードＢによりスイッチングコマンドメッセージ（Switching Command message）を前記ＵＥへ転送するステップと、
前記ＵＥによりスイッチング完了メッセージ（Switching Complete message）を前記目的地ノードＢでの前記目的地セルへ転送するステップと、
前記目的地ノードＢにより経路スイッチング要請メッセージ（Path Switching Request message）を前記ＭＭＥへ転送するステップと、
前記ＭＭＥにより経路スイッチング完了メッセージ（Path Switching Completed message）を前記目的地ノードＢへ転送するステップと、を含み、
前記経路スイッチング要請メッセージは、前記ＵＥの前記位置情報を含むことを特徴とする請求項２に記載の方法。
【請求項４】
前記測定報告メッセージは、
隣接セルに対する測定結果を含むことを特徴とする請求項３に記載の方法。
【請求項５】
前記ソースノードＢは、
ソースセルが前記ＵＥに割り当てるＩＤ、目的地セルＩＤ、データ接続が構築される情報、データ接続ＩＤ、及びＱｏＳ（Quality of Service）情報を含む前記目的地ノードＢに前記スイッチング要請メッセージを送信することを特徴とする請求項３に記載の方法。
【請求項６】
前記位置情報の転送ステップは、
接続モードにある前記ＵＥによりアップリンク測定報告メッセージ（uplink Measuring Report message）をソースノードＢへ転送するステップと、
前記ソースノードＢにより前記ＵＥが新規セル内にスイッチングされるか否かを判断し、前記ソースノードＢによりスイッチング要求メッセージ（Switching Requirement message）をソースＭＭＥへ転送するステップと、
前記ソースＭＭＥにより該当目的地ノードＢ内のＭＭＥを検索し、前記ソースＭＭＥによりスイッチング要請メッセージ（Switching Request message）を目的地ＭＭＥへ転送するステップと、
前記目的地ＭＭＥにより前記スイッチング要請メッセージを前記目的地ノードＢへ転送するステップと、
前記目的地ノードＢによりスイッチング要請メッセージに対する返信を前記目的地ＭＭＥへ転送するステップと、
前記目的地ＭＭＥにより前記ソースＭＭＥにスイッチング応答メッセージ（Switching Response message）を転送するステップと、
前記ソースＭＭＥによりスイッチングコマンドメッセージ（Switching Command message）を前記ソースノードＢへ転送するステップと、
前記ソースノードＢ上のソースセルにより前記スイッチングコマンドメッセージを前記ＵＥへ転送するステップと、
前記ＵＥによりスイッチング完了メッセージ（Switching Completed message）を目的地ノードＢ上の前記目的地セルへ転送するステップと、
前記目的地ノードＢにより前記目的地ＭＭＥに前記ＵＥの前記位置情報を含むスイッチ通知メッセージ（Switching Notification message）を転送するステップと、
を含むことを特徴とする請求項２に記載の方法。
【請求項７】
前記スイッチング要請メッセージは、
前記ソースノードＢ及び前記目的地ノードＢに関する情報、前記ソースノードＢから前記目的地ノードＢへのコンテナ、及びインターフェースＳ１に使われるユーザＩＤを含むことを特徴とする請求項６に記載の方法。
【請求項８】
前記ノードＢにより前記ＭＭＥへＵＥドメインＩＤを転送するステップをさらに含むことを特徴とする請求項２に記載の方法。
【請求項９】
前記ＵＥドメインＩＤの転送ステップは、
接続モードにある前記ＵＥによりアップリンク測定報告メッセージ（uplink Measuring Report message）をソースノードＢへ転送するステップと、
前記ソースノードＢにより前記ＵＥが新規セルにスイッチングできるか否かを判断し、次に、前記ソースノードＢによりスイッチング要求メッセージ（Switching Requirement message）をソースＭＭＥへ転送するステップと、
前記ソースＭＭＥにより目的地ノードＢ上で該当ＭＭＥを検索し、次に、前記ソースＭＭＥによりスイッチング要請メッセージを目的地ＭＭＥへ転送するステップと、
前記目的地ＭＭＥにより前記スイッチング要請メッセージを前記目的地ノードＢへ転送するステップと、
前記目的地ノードＢによりスイッチング要求メッセージに対する返信（Answer To Switching Request message）を前記目的地ＭＭＥへ転送するステップと、
前記目的地ＭＭＥによりスイッチング応答メッセージを前記ソースＭＭＥへ転送するステップと、
前記ソースＭＭＥによりスイッチングコマンドメッセージを前記ソースノードＢへ転送するステップと、
前記ソースノードＢ上のソースセルにより前記スイッチングコマンドメッセージを前記ＵＥへ転送するステップと、
前記ＵＥによりスイッチング完了メッセージを前記目的地ノードＢ上の目的地セルへ転送するステップと、
前記目的地ノードＢにより前記目的地ＭＭＥに前記目的地セルの位置情報を含んでいるスイッチング通知メッセージを転送するステップと、
を含むことを特徴とする請求項８に記載の方法。
【請求項１０】
前記ＭＭＥによりＵＥ位置報告要請メッセージを前記ノードＢへ転送するステップと、
前記ノードＢによりＵＥ位置報告応答メッセージを前記ＭＭＥへ転送するステップと、
をさらに含むことを特徴とする請求項１に記載の方法。
【請求項１１】
前記ＵＥ位置報告応答メッセージは、
ＵＥが位置しているセルでドメインＩＤ ＴＡＩ（Tracking Area Identifier）を含むことを特徴とする請求項１０に記載の方法。
【請求項１２】
前記ＵＥの前記位置情報の更新ステップは、
目的地ＭＭＥにより位置更新要請メッセージをＨＳＳ（Home Subscription Sub-system）へ転送するステップと、
前記ＨＳＳにより位置更新確認（Location Update Confirmation message）を目的地ＭＭＥへ転送するステップと、
前記ＨＳＳによりＵＥコンテキスト解除要請メッセージをソースＭＭＥへ転送するステップと、
前記ソースＭＭＥによりＵＥコンテキスト解除応答メッセージを前記目的地ＭＭＥへ転送するステップと、
を含むことを特徴とする請求項１に記載の方法。
【請求項１３】
前記ＭＭＥによりＵＥ位置報告メッセージをＭＳＣ（Mobile Switch Center）に送信するステップと、
前記ＭＳＣによりＵＥ情報を格納し、前記ＭＳＣによりＵＥ位置報告確認メッセージを前記ＭＭＥに送信するステップと、
をさらに含むことを特徴とする請求項１に記載の方法。
【発明の詳細な説明】
【技術分野】
【０００１】
本発明は、通信分野に関し、特に改善されたネットワーク下におけるユーザ装備の位置情報を更新する方法に関する。
【背景技術】
【０００２】
図１にＳＡＥ（System Architecture Evolution）のシステム構造が図示されている。図１を参照してＳＡＥを説明する。
【０００３】
ユーザ装備（ＵＥ）１０１は、データを受信するための端末装置を示す。
【０００４】
ＥＵＴＲＡＮ（Evolved Universal Terrestial Radio Access Network）１０２は、エボリューションシステムＳＡＥにおける無線アクセスネットワークを示し、無線ネットワークにアクセスするためのインターフェースを有するＬＴＥモバイルフォンを提供し、インターフェース（Ｓ１）を経由してＭＭＥ（Mobile Management Entity）１０３とＵＰＥ（User Plane Entity）１０４サービングゲートウェイを接続するＥＮＢ（Evolved Node B または eNodeB）とも呼ばれる。
【０００５】
ＭＭＥ１０３は、ＵＥのモバイルコンテキスト（mobile context）及びセッションコンテキスト（session context）を管理し、ユーザ情報を安全に格納するために使われる。
【０００６】
サービングゲートウェイ１０４は、主としてユーザプレーン（user plane）の機能を提供する。インターフェース（Ｓ１−ＭＭＥ）は、無線アクセスベアラー（radio access bearer）を構築し、無線アクセスネットワークを介してＵＥからＭＭＥまでメッセージをフォワーディングするようになる。ＭＭＥ１０３とサービングゲートウェイ１０４との結合された機能は、元のＳＧＳＮ（General Packet Radio Service（ＧＰＲＳ）をサポートするノード）１０６の機能と類似している。そして、ＭＭＥとサービングゲートウェイは両方とも同一物理エンティティに位置することもできる。
【０００７】
ＰＤＮ（Packet Data Network）１０５ゲートウェイは、アカウンティング（accounting）、合法的モニタリングのような機能に使われる。そして、サービングゲートウェイ及びＰＤＮゲートウェイ全ては同一物理エンティティに位置することもできる。ＳＧＳＮ１０６は、現存するＵＭＴＳ（Universal Mobile Telecommunication System）でデータ転送のためのルーティングを提供する。現存するＳＧＳＮは、対応するゲートウェイＧＰＲＳ（General Packet Radio Service）サポートノード（ＧＧＳＮ）をＡＰＮ（Access Point Name）に従って検索する。
【０００８】
ＨＳＳ１０７は、ＵＥに対するホーム加入サブシステム（home subscription sub-system）である。これは、ＵＥの現在の位置、サービングノードのアドレス、ユーザに対する情報関連保安、ＵＥに対する活性化されたＰＤＰ（packet data protocol）のようなユーザ情報を格納するために使われる。
【０００９】
ＰＣＲＦ（Policy and Charging Rules Function）１０８は、ＱｏＳ（Quality of Service）政策及びインターフェース（Ｓ７）を介したアカウンティングルールを提供する。
【００１０】
一般に、ユーザデータストリームは、ＰＤＮゲートウェイ１０５を介してサービングゲートウェイ１０４へ転送される。次に、ＧＰＲＳトンネルプロトコル（ＧＴＰ）チャンネルを経由して、データはサービングゲートウェイによりＵＥが位置しているＥＮＢに送信され、このデータはＥＮＢにより該当ＵＥに送信される。
【００１１】
図２は、ＭＭＥがモバイル管理エンティティであり、Ｓ−ＧＷがＥＣＮ（Evolved Core Network）でのデータプレーンエンティティであるＳＡＥでのインターフェース（Ｓ１）の構造を示す。ここで、各々のｅＮＢはＭＭＥプール（pool）で幾つかのＭＭＥと接続される。各々のｅＮｏｄｅＢはＳ−ＧＷプールで幾つかのＳ−ＧＷと接続される。ｅＮＢの間のインターフェースはインターフェース（Ｘ２）という。
【００１２】
上記ＵＥがノードＢの間を頻繁に移動する場合、アイドルモードで上記ＵＥがアップリンクシグナリング（ＴＡ更新メッセージ）を転送することを防ぐために、多重ＴＡリストが用いられる。ＵＥがＴＡ更新過程中の場合、ＭＭＥは隣接する多重ＴＡリストのＵＥにＵＥがＴＡ更新応答メッセージにより接続できることを報告した後、ＵＥが上記メッセージを受信する時にＴＡリストを格納する。このような見地で、ＵＥは多数のＴＡの間で移動する場合、ＴＡ更新過程を開始しない。
【発明の概要】
【発明が解決しようとする課題】
【００１３】
接続モードでのユーザは、ＴＡリスト外部ドメインへ移動する時、ドメインの更新のためのプロセスを開始する必要がある。
【００１４】
前述したように、従来技術によれば、接続モードでのユーザはドメイン更新プロセスを開始する必要がある。ドメイン更新プロセスの間、ＵＥは新たな臨時ＩＤを獲得するようになる。該臨時ＩＤは、アイドルモード（idle mode）でＵＥにより使われる。ドメイン更新プロセスが接続モードでユーザに接近禁止される場合、シグナリングを効果的に低減できるようになる。
【００１５】
一方、エボリューション（evolution）の開始において、回路シグナリングがエボリューションネットワークを介してＭＳＣ（Mobile Switch Center）へ転送され、任意のドメインで機能する回路ドメインのためのエンティティを制御する必要があるので、ＵＥが現在位置しているドメイン位置を知らせて、回路ドメインシグナリングがＭＳＣに正確に送信されたか否かを認知するようになる。
【課題を解決するための手段】
【００１６】
本発明は、ＵＥの位置情報を更新するための方法を提供することをその目的とする。
【００１７】
上記の目的を達成するために、ＵＥの位置情報を更新するための方法は、ノードＢがＵＥの位置情報をＭＭＥへ転送するステップ、及びＭＭＥがネットワークに格納されているＵＥの位置情報をＵＥの位置情報として更新するステップを含むことを特徴とする。
【発明の効果】
【００１８】
本発明は、ＵＥの位置情報を更新するための方法を提供してドメイン更新プロセスを実行しなくても互いに異なる地理的ドメインの間で移動する接続モード状態のＵＥをサポートするようになる。また、新たなエボリューションネットワークで転送されるように回路ドメインでのシグナリングをサポートする。
【図面の簡単な説明】
【００１９】
【図１】ＳＡＥシステムネットワークの構造を示す図である。
【図２】インターフェース（Ｓ１）を示す図である。
【図３】ＵＥがインターフェース（Ｘ２）にスイッチングされる第１実施形態を示す図である。
【図４】ＵＥがインターフェース（Ｓ１）にスイッチングされる第２実施形態及び第３実施形態を示す図である。
【図５】第４実施形態を示す図である。
【図６】ＭＭＥがコアネットワークエンティティを更新する第５実施形態を示す図である。
【図７】ＭＭＥが回路ドメインで制御エンティティを更新する第６実施形態を示す図である。
【発明を実施するための形態】
【００２０】
本発明の第１実施形態を図３に示す。図３を参照して以下に詳細に説明する。そして、公知の技術的な説明の詳細は省略する。
【００２１】
ステップ３０１：ＵＥはノードＢに“measuring report”メッセージを送信し、このノードには１つ以上のセルが存在することもでき、１つのセルがユーザをサポートしてユーザに対する現在のセルになる。“measuring report”メッセージは隣接セルに対する測定（measuring）を含む。
【００２２】
ステップ３０２：ｅＮＢはＵＥの測定報告（measuring report）と目的地セルでのソース管理情報（resource management information）に基づいて、ユーザをより高品質のセルにスイッチングするように判断する。ソースと目的地セルが互いに異なるノードＢに位置する場合、元のセルが位置しているノードＢをソースノードＢといい、新たな目的地セルに対するノードＢを目的地ノードＢという。仮に、ソースと目的地ノードＢとの間にインターフェース（Ｘ２）が存在する場合、ソースセルはＸ２にスイッチングするように判断し、次にソースノードＢは目的地ノードＢに“switching request”メッセージを送信する。“switching request”メッセージは、ソースセルがユーザに割り当てるＩＤ、目的地セルＩＤ、データ接続が構築される情報、データ接続（ＳＡＥベアラー）ＩＤ、及びＱｏｓ情報などを含む。
【００２３】
ステップ３０３：目的地ノードＢはデータ接続に対するＱｏｓ情報に基づいて、このユーザがアクセスできるか否かを判断する。仮に、目的地セルが要請されるソースを提供できる場合、目的地セルは要請されたソースを構成するようになり、空中インターフェース（air interface）に使われるユーザＩＤ Ｃ−ＲＮＴＩ（Cell−Radio Network Temporary Identifier）及びインターフェース（Ｘ２）に使われるｅＮＢ ＵＥ Ｘ２ＡＰ ＩＤを割り当てて、次にソースノードＢに“switching response”メッセージを送信するようになる。このメッセージは、前述した情報、成功的に構築されたデータ接続情報、及びデータ接続を解除することに必要とするＩＤを含む。また、このメッセージはＵＥに送信され、“ソースノードＢから目的地ノードＢまでのコンテナ”の情報要素を通じてソースノードＢへ転送される“switching command”を含む。ステップ３０４：ソースノードＢは“switching command”をＵＥに送信する。
【００２４】
ステップ３０５：ＵＥが目的地セルで同期化プロセスを成功的に遂行するようになれば、“switching completed”メッセージをソースノードＢに送信するようになる。
【００２５】
ステップ３０６：目的地ノードＢは、“path switching request”メッセージをＭＭＥに送信し、これはＵＥが位置している現在セルでのＴＡＩ（Tracking Area Identifier）のような位置情報と共にダウンリンクデータ受信用アドレスである新規データ接続のための転送階層アドレス（transmission stratum address）と目的地ノードＢがユーザに割り当てるインターフェース（Ｓ１）に使われるｅＮＢ ＵＥ Ｓ１ＡＰ ＩＤを含む。
【００２６】
ステップ３０７：ＭＭＥは、“answer to path switching”メッセージを目的地ノードＢに送信する。このメッセージは、ＭＭＥ ＵＥ Ｓ１ＡＰ ＩＤ及びインターフェース（Ｓ１）で使われるｅＮＢ ＵＥ Ｓ１ＡＰ ＩＤを含む。
【００２７】
本発明の第２実施形態及び第３実施形態を図４に示す。図４を参照して以下に詳細に説明する。公知の技術的な説明の詳細は以下に省略する。第２実施形態と第３実施形態は、ステップ４０５及びステップ４１０で若干の差があり、その他のステップでは全て同一である。
【００２８】
ステップ４０１：ＵＥは“measuring report”メッセージをノードＢに送信する。このメッセージは隣接セルに対する測定（measuring）を含む。
【００２９】
ステップ４０２：ＮＢは、ＵＥの測定報告及びセルでのソース管理情報に基づいて、より高い品質のセルにユーザをスイッチングするように判断する。仮に、ソース及び目的地セルが互いに異なるノードＢに位置する場合、ソースノードＢはインターフェース（Ｓ１）にスイッチされるように判断し、ソースＭＭＥに“switching requirement”メッセージを送信する。判断する方法は、例えば、ソースノードＢが自分と目的地ノードＢとの間に如何なるインターフェース（Ｘ２）も発見できない実際的な実施に関連する。“switching requirement”メッセージは、ソースノードＢ及び目的地ノードＢ情報、ソースノードＢから目的地ノードＢまでのコンテナ、及びインターフェース（Ｓ１）に使われるユーザＩＤのような情報要素を含むこともできる。メッセージに含まれた目的地ノードＢ ＩＤ及び特定のセルＩＤをコンテナに含める。コンテナは、ＭＭＥ透明転送（transparent transmission）を通じて目的地ノードＢに転送され、ユーザＣ−ＲＮＴＩ及びアクセス階層情報を含む。インターフェース（Ｓ１）に使われる２つのユーザＩＤ、即ち、サービスＭＭＥがユーザに割り当てるＭＭＥ ＵＥ Ｓ１ＡＰ ＩＤ、及びソースノードＢがユーザに割り当てるｅＮＢ ＵＥ Ｓ１ＡＰ ＩＤが存在する。
【００３０】
ステップ４０３：ソースＭＭＥは、該当目的地ノードＢでＭＭＥを検索する。ソースサービスＭＭＥは、目的地ノードＢに接続されているＭＭＥに“forward resetting request”メッセージを送信する。このメッセージは、データ接続が構築できる情報を含む。
【００３１】
ステップ４０４：目的地ＭＭＥは目的地ノードＢに従って該当ノードＢを検索し、目的地ノードＢに“switching request”メッセージを送信する。スイッチング要請（switching request）は、ステップ４０２でのデータ接続のためのＱｏｓ情報とコンテナ情報とを含む。また、このメッセージは目的地ＭＭＥがユーザに割り当てる新規のインターフェース（Ｓ１）に使われるユーザＭＭＥ ＵＥ Ｓ１ＡＰ ＩＤを含む。
【００３２】
ステップ４０５：目的地ノードＢは、コンテナに含まれた目的地セルＩＤに基づいて、ノードＢ上の目的地セルを検索し、このユーザがデータ接続のためのＱｏｓ情報に従ってアクセスできるか否かを判断する。仮に、目的地セルが要請されたソースを提供できる場合、目的地セルは要請されたソースを構成するようになり、空中インターフェースに使われるユーザＩＤと新規のインターフェース（Ｓ１）に使われるｅＮＢ ＵＥ Ｓ１ＡＰ ＩＤを割り当てる。次に、目的地ノードＢは、目的地ＭＭＥに前述した情報を含んでいる“answer to switching request”メッセージを送信する。また、このメッセージは“switching command”を含み、これはＵＥに送信され、新規のＣ−ＲＮＴＩ及びアクセス階層情報が含まれているＭＭＥ透明転送を経由して目的地ノードＢからソースノードＢにコンテナの情報要素を通じてソースへ転送される。本発明の第３実施形態では、“answer to switching request”メッセージ、またＴＡＩのような目的地セルの位置情報に含まれる。
【００３３】
ステップ４０６：目的地ＭＭＥはソースＭＭＥに“forward resetting response”メッセージを送信する。このメッセージはステップ４０５でのコンテナを含む。
【００３４】
ステップ４０７：ソースＭＭＥはソースノードＢに“switching command”を送信する。このメッセージはデータ接続を解除することに使われるＳＡＥデータ接続が成功的に構築されたことを示す情報を含む。また、これはステップ４０５でのコンテナを含む。
【００３５】
ステップ４０８：ソースノードＢ上のセルはＵＥに“switching command”を送信する。
【００３６】
ステップ４０９：ＵＥはメッセージを格納し、目的地セルで同期化プロセスを成功的に実行し、目的地ノードＢに“switching completed”メッセージを送信する。
【００３７】
ステップ４１０：目的地ノードＢは、ＭＭＥが該当ＵＥでコンテキストメッセージを検索できるか否かに基づいて、Ｓ１に使われるユーザＩＤを含む目的地ＭＭＥに“switching notification”メッセージを送信する。本発明の第４実施形態では、“switching notification”メッセージもＴＡＩのような目的地セルの位置情報を含む。
【００３８】
ステップ４１１：目的地ＭＭＥはソースＭＭＥに“forward resetting completed”メッセージを送信する。
【００３９】
ステップ４１２：ソースＭＭＥは目的地ＭＭＥに“answer to forward resetting completed”メッセージを送信する。リセッティングプロセス（resetting process）は完了する。リセッティングプロセスの後、ＵＥにより開始されるドメイン更新プロセスがさらに含まれる。ドメイン更新プロセスの間、ＵＥ情報はソースＭＭＥ端子から解除され、ＨＳＳ（Home Subscription Sub-system）に含まれたＭＭＥ情報が更新される。このプロセスに従来のプロセスを利用できるので、これに関する説明は省略する。または、ドメイン更新プロセスがない場合、ＭＭＥは図６及び／または図７に示したステップを実行することができる。
【００４０】
本発明の第４実施形態を図５に示す。図５を参照して以下に詳細に説明する。そして、公知の技術的な説明の詳細は省略する。
【００４１】
ステップ５０１：ＭＭＥはノードＢに“location report request”メッセージを送信する。ＭＭＥはこのメッセージを任意の時間または正規的に開始することができる。このメッセージはインターフェース（Ｓ１）に使われるユーザＩＤを含む。実施のための他の方法に基づいて、ＭＭＥはステップ５０１でメッセージを送信し、ｅＮＢがＵＥの位置情報を報告するように構成し、次に、ノードＢは正規的に、またはステップ５０１での構成情報に基づいて、新たなドメインがスイッチングされる度に、このメッセージをステップ５０２で送信する。これは、ステップ５０１でのメッセージが一回転送されることもでき、ステップ５０２で多数回に亘って転送できることを示す。
【００４２】
ステップ５０２：ノードＢはＴＡＩのようなユーザが現在位置している現在セルでの位置情報を検索する。次に、インターフェース（Ｓ１）に使われるユーザＩＤ及びＴＡＩのようなユーザが現在位置している現在セルでのドメインＩＤを含む“location report response”メッセージをＭＭＥに送信する。次に、ＭＭＥは図６及び／または図７に示したステップを実行することができる。
【００４３】
本発明の第５実施形態を図６に図示する。図６を参照して以下に詳細に説明する。そして、公知の技術的な説明の詳細は省略する。
【００４４】
ステップ６０１：ＵＥはソースＭＭＥから新規ＭＭＥに移動し、新規ＭＭＥは目的地ＭＭＥである。前述した実施形態に基づいて、目的地ＭＭＥはＴＡＩのようにＵＥが現在位置しているセルでの位置情報を含む。ＭＭＥは、ＭＭＥアドレスまたはＩＤのような現在のＵＥに関するＭＭＥ情報を含む“location update request”メッセージをＨＳＳ、オペレーション（operation）及びメンテナンス（maintenence）のデータベースエンティティに送信する。
【００４５】
ステップ６０２：ＨＳＳは、目的地ＭＭＥに応答メッセージ、“location update request confirmation”を送信する。
【００４６】
ステップ６０３：ＨＳＳはＵＥのコンテキスト情報を削除するように要請するためにソースＭＭＥに“UE context release request”を送信する。
【００４７】
ステップ６０４：ソースＭＭＥはＵＥ情報を削除した後、ＨＳＳに“UE context release response”メッセージを送信する。
【００４８】
本発明の第６実施形態を図７に図示する。図７を参照して以下に詳細に説明する。そして、公知の技術的な説明の詳細は省略する。
【００４９】
ステップ７０１：ＭＭＥはＭＳＣに“UE location report”メッセージを送信する。このメッセージはＴＡＩのようにＵＥの現在位置情報を含む。
【００５０】
ステップ７０２：ＭＳＣはＵＥの位置情報を格納し、ＭＭＥに“UE location report confirmation”メッセージを送信する。
【００５１】
本発明で説明する位置情報はＴＡＩだけでなく、ＵＥが位置しているセルに関するその他の位置情報に該当できる。
【００５２】
本発明は特定の好ましい実施形態を参照して説明されたが、添付の特許請求範囲及びこれらの均等物により定義されるような本発明の趣旨及び範囲を逸脱しない限り、形態及び詳細で多様に変更できることを当業者は理解されるべきである。
【符号の説明】
【００５３】
１０１・・・ユーザ装備（ＵＥ）
１０２・・・ＥＵＴＲＡＮ（Evolved Universal Terrestial Radio Access Network）
１０３・・・ＭＭＥ（Mobile Management Entity）
１０４・・・サービングゲートウェイ
１０５・・・ＰＤＮ（Packet Data Network）ゲートウェイ
１０６・・・ＳＧＳＮ
１０７・・・ＨＳＳ
【図１】
2011514068.tif 000003
【図２】
2011514068.tif 000004
【図３】
2011514068.tif 000005
【図４】
2011514068.tif 000006
【図５】
2011514068.tif 000007
【図６】
2011514068.tif 000008
【図７】
2011514068.tif 000009
【国際調査報告】
2011514068.tif 000010
2011514068.tif 000011